Podtech/llm-jp-corpus-v4-ja_patent huggingface dataset:
(57)【要約】【課題】  地球の温暖化現象の要因とされているＣＯ２ガスの削減を各家庭でも実施するため、家庭用のガスからのＣＯ２ガスの発生を軽減することを目的とした。【解決手段】  偏平で円形のステンレス鋼製の容器の上蓋に金網を張設し、この容器の中にセラミックトルマリンを充填した形状とし、ガスコンロの脇に置載することで、コンロの使用中に加熱されて遠赤外線とマイナスイオンの発生を促すことでＣＯ２ガスの削減と室内の空気の浄化が可能となる。【選択図】図１
0003120675.tif 000002
【実用新案登録請求の範囲】
【請求項１】
偏平な円形の金属容器Ａであって、上面に金属製の金網（１）を張設し、底面を平面状（２）とし、トルマリン石（３）を充填してなるガステーブル載置用の燃焼補助具。
【考案の詳細な説明】
【技術分野】
【０００１】  本考案は、地球温暖化防止用のマイナスイオン発生器であって、ガステーブルに置載する燃焼補助具に関する。
【背景技術】
【０００２】  地球温暖化現象が問題化されてきている現在、少しでも二酸化炭素ガス（以下単にＣＯ２ガスという）の削減を図ることが問題となり、家庭内でのガス使用から発生するＣＯ２ガスの削減を目的とする。【０００３】  トルマリン石から発する遠赤外線がＣＯ２ガスを削減する作用があることが判明し、身近にある家庭のガスコンロの使用によって発生放出されるＣＯ２ガスを削減することによって微少でも地球温暖化の現象を軽減することができる。
【特許文献１】  実登３０８９０２９号公報
【考案の開示】
【考案が解決しようとする課題】
【０００４】  トルマリン石から発生する遠赤外線の熱イオンがＣＯ２ガスと化合してＣＯ２ガスを半減することが判明し、併せてトルマリン石から発生するマイナスイオンが空気の清浄化を図り、これにより地球環境を改善することが可能となる。
【課題を解決するための手段】
【０００５】  考案者は従来からトルマリン石についての作用効果を研究し続け、遠赤外線、マイナスイオン、ＣＯ２ガスの削減に対して本考案を完成したもので、遠赤外線やマイナスイオンは熱を加えることによって発生量が倍増することを考えて本考案のトルマリン石を封入する容器の構造を開発し、この容器をガスコンロのテーブル上に載置することによって、トルマリン石は、火にかかっている鍋等からの輻射熱によって加熱され、遠赤外線やマイナスイオンの発生量が倍増されて、これによってガスの燃焼が盛んになり、ＣＯ２ガスの発生が分解減少する。【０００６】  本考案のガステーブルに置載する燃焼補助具は図示するように、偏平な金属製容器で、この中にトルマリン石が充填されていて、この容器の底面は熱伝導が効率よく伝わるように平面に形成され、上面は金網によって形成されていて、この使用に際しては図３に示すようにガステーブルのコンロの脇に置いて使用する。
【考案の効果】
【０００７】  上述のように本考案の家庭用のＣＯ２ガス削減具は、単にガステーブル上のいずれでもコンロの近くに置くことによって、器具が加熱され、これによってトルマリン石が加熱されて遠赤外線やマイナスイオンの発生量が倍増されるため、ＣＯ２ガスが削減される。そして、このためガス臭も消され地球環境の改善に貢献するばかりか、家庭内の空気の浄化にも寄与できるという作用効果を奏する。
【考案を実施するための最良の形態】
【０００８】  添付図面により本考案を実施するための最良の形態を説明すると、図１は平面図を示し、図２は一部を断面とした側面図を示すもので、図示されているように偏平な円形容器であって、全体はステンレス鋼製で、この中にトルマリン原石の粉体を粘土と混合して粒状に成形して焼成したセラミックトルマリン（３）が充填されている。【０００９】  そして本器具の使用に際しては図３に示すようにガステーブルのコンロの脇に載置するのみで、その効果は発揮される。
【実施例】
【００１０】  図１および図２により本考案を説明すると、Ａは円板状の容器であり、（１）は金網、（２）は容器Ａの上蓋を示している。（４）は底板であり、この容器の中にはトルマリン石（３）が充填されている。トルマリン石（３）は原石の粉砕物でもよいが本考案は粒状に成形されたセラミックトルマリンを使用している。【００１１】  底板（４）はガステーブルの上に全面が接して熱効率がよいように平面に形成し、上面板（２）の窓状の金網（１）はトルマリンの分子成分が放出され易く形成される。【００１２】  図３は使用例を示した実施例図であって、２口コンロＢの火口の脇に本考案の補助具Ａを置載している。この置載する位置は、この図示の場所とは限らず、ガステーブル上であればいずれでもよく、コンロの使用時に輻射熱によって本考案の補助具Ａが加熱されてマイナスイオンの発生効率がよければＣＯ２ガスの削減ができる。
【産業上の利用可能性】
【００１３】  京都議定書によって義務付けされてきたＣＯ２ガスの削減を各家庭で少しでも努力協力するために、本考案のガスコンロの燃焼補助具は大いに貢献されるもので、日本中、世界中の各家庭で使用することにより地球温暖化の問題が少しでも解決できる。
【図面の簡単な説明】
【００１４】
【図１】  平面図
【図２】  一部裁断した側面図
【図３】  使用を示す実施例
【符号の説明】
【００１５】  （１）…金網
（２）…上面板
（３）…トルマリン石
（４）…底板
Ａ…燃焼補助具
【図１】
0003120675.tif 000003
【図２】
0003120675.tif 000004
【図３】
0003120675.tif 000005
(57)【要約】      （修正有）【課題】１熱源で数液体を同時に混ざり合うことなく調理ができるなべを提供する。【解決手段】なべに水など液体が混ざり合わない仕切りを設ける。あるいは，適当な整形されたなべを合体接合させる。【選択図】図１
0003120680.tif 000002
【実用新案登録請求の範囲】
【請求項１】
なべの中を２分以上する仕切り構造をしたなべ。
【請求項２】
複数の整形されたなべを合体させ１つのなべとしたもの。
【考案の詳細な説明】
【技術分野】
【０００１】１熱源で数液体を同時に混ざり合うことなく調理ができるなべである。
【背景技術】
【０００２】従来，数液体を同時に混ざり合うことなく１熱源で調理できるなべはなかった。
【考案の開示】
【考案が解決しようとする課題】
【０００３】従来は，例えば，うどんやパスタなど麺類とカレーやソースなどのレトルト製品を別々に調理しなければならなかった。また１つのなべで同時に調理出来たとしてもレトルト製品包装からの不必要物質などの溶出混合が考えられた。しかし，この考案で１熱源で数液体を同時に調理することが可能となり，安心で経済的である。
【課題を解決するための手段】
【０００４】なべに水など液体が混ざり合わない仕切りを設ける。あるいは，適当な整形されたなべを合体接合させる。
【考案の効果】
【０００５】本考案を採用することで，不必要物の溶出混合なく他の調理器具を使用せず調理することができる。安心で経済的である。
【考案の実施の最良の形態】
【０００６】以下，本考案の実施の形態を説明する。
イ）なべの中に仕切りを設ける。
ロ）適当な整形されたなべを合体接合させる。
本考案は，以上の構成よりなる。
【図面の簡単な説明】
【０００７】
【図１】本考案の斜視図１
【図２】本考案の正面図１
【図３】本考案の斜視図２
【図４】本考案の正面図２
【図１】
0003120680.tif 000003
【図２】
0003120680.tif 000004
【図３】
0003120680.tif 000005
【図４】
0003120680.tif 000006
(57)【要約】【課題】園芸作物の生育全期にわたり、作物を傷めず作物の株元の土を覆いやすく、覆った後でも作物を固定する支柱を簡単に複数差し込め、透水性・通気性・保水性に優れた園芸用マルチカバーを提供する。【解決手段】天然のココヤシ繊維素材にバインダーを所要量混合し形成したマルチカバーの本体１の中央に栽培孔２を設け、端部３から栽培孔２まで届く切込み４と、端部３に支柱用の切込み４を複数設けたことを特徴とする。【選択図】図２
0003120685.tif 000002
【実用新案登録請求の範囲】
【請求項１】
天然のココヤシ繊維素材にバインダーを所要量混合し形成したマルチカバーの本体１の中央に栽培孔２を設け、端部３から栽培孔２まで届く切込み４と、端部３に支柱用の切込み４を複数設けたことを特徴とする園芸用ココヤシ製マルチカバー。
【考案の詳細な説明】
【技術分野】
【０００１】  この考案は、園芸用マルチカバーに関する。
【背景技術】
【０００２】  従来の園芸用マルチカバーは、中央の孔から作物が出るように上から被せ、土の表面を覆うものである。
【特許文献１】特開２００４−７３１６９号公報
【考案の開示】
【考案が解決しようとする課題】
【０００３】しかしながら、以上の技術によれば、生育状態によっては、マルチカバーを中央の孔から作物が出るように上から被せ、土の表面を覆うことは困難であり作物を傷めやすい。
そこで、この考案は、園芸作物の生育全期にわたり作物を傷めず、作物の株元の土を覆いやすく、覆った後でも作物を固定する支柱を簡単に差し込め、透水性・通気性・保水性に優れたマルチカバーを提供することを課題とする。
【課題を解決するための手段】
【０００４】  以上の課題を解決するために、第一考案は、マルチカバーの本体１に、栽培孔２と、端部３から栽培孔２までの切込み４を設け、又、端部３に支柱用の切込み４を複数設けたことを特徴とする園芸用ココヤシ製マルチカバーである。
また、第二考案は、天然のココヤシ繊維を素材に用いることで、透水性・通気性・保水性に優れ、潅水時における土跳ねを防ぎ、株元の乾燥や雑草の発生を防止することを特徴とする園芸用ココヤシ製マルチカバーである。
【考案の効果】
【０００５】  第一考案、または第二考案によれば、マルチカバーの本体１に栽培孔２と複数の切込み４を設けたので、園芸作物の生育全期にわたり、作物を傷めずに作物の株元の土を覆いやすく、覆った後でも作物を固定する支柱を複数差し込め、又天然のココヤシ繊維素材を用いたので、透水性・通気性・保水性に優れ、潅水時における土跳ねを防ぎ、株元の乾燥や雑草の発生を防止する。
【考案を実施するための最良の形態】
【０００６】  この考案の一実施形態を、図１に示す。
ココヤシ製マルチカバーの本体１はココヤシ製であり、この本体１に栽培孔２が設けられている。本体１の端部３からは、切込み４が複数設けられている。【０００７】「実施形態の効果」
この実施形態によれば、ココヤシ製マルチカバーの本体１に栽培孔２と切込み４があることで、園芸作物の生育全期にわたり、作物を傷めず作物の株元の土を覆いやすく、覆った後でも複数の切込み４に作物を固定する支柱を簡単に差し込め、潅水しても土６に穴があかず見栄えが良い。【０００８】「他の実施形態」
図１の実施形態では、マルチカバーの本体１は丸型で、切込み４は端部３及び端部３から栽培孔２までの切込みであったが、他の実施形態では、角型・楕円型等の栽培容器に合わせた形状のマルチカバーでも良く、又栽培孔２を複数設けても良く、切込み４は端部３及び端部３から栽培孔２をとおり反対側の端部３まで設けたものでも良い。
【図面の簡単な説明】
【０００９】
【図１】本考案の園芸用ココヤシ製マルチカバーを示す斜視図である。
【図２】本考案の使用状態を示す断面図である。
【符号の説明】
【００１０】      １  園芸用ココヤシ製マルチカバー本体      ２  栽培孔
３  端部      ４  切込み      ５  支柱      ６  土
【図１】
0003120685.tif 000003
【図２】
0003120685.tif 000004
(57)【要約】      （修正有）【課題】ポストカ−ドの宛名や文章を，縦書きでも横書きでも，曲がらず真っ直ぐに書けるよう，予め格子状のガイドラインを印刷した方眼紙式ポストカ−ドを提供する。【解決手段】（１）ポストカ−ドの表地の上部の郵便番号記入欄を除いた表地全体について，おおよそ５ｍｍ幅の格子状の線分を薄い色で印刷する。（２）表地全体を宛先記入欄として使用する場合と表地全体を宛先記入欄と文章記入欄に二分して使用する場合を想定し，表地中央部の縦の線分は印刷しないこととし，あたかも表地全体に上下２つの方眼紙群があるようにする。  以上のような，縦書きでも横書きでも，曲がらず真っ直ぐに書けるようにした格子状のガイドラインを設けた方眼紙式ポストカ−ドであることを特徴とする。【選択図】図１
0003120683.tif 000002
【実用新案登録請求の範囲】
【請求項１】
表地の宛先記入欄を方眼紙としたポストカ−ドで，
（１）宛名等を記入する際，縦書きでも横書きでも，曲がらずに真っ直ぐ書けるようにするためのガイドラインを形成する。
（２）このため，上部の郵便番号記入欄を除いた表地全体について，おおよそ５ｍｍ幅の格子状の線分を印刷する。
（３）（２）の格子状の線分は，（１）のガイドラインとしての目的を達成できる範囲で，できる限り薄い色で印刷する。
（４）表地全体を宛先記入欄として使用する場合と表地全体を宛先記入欄と文章記入欄に二分して使用する場合を想定し，表地中央部の縦の線分は印刷しないこととし，あたかも表地全体に上下２つの方眼紙群があるように設定する。
以上の構成による，表地に，縦書きでも横書きでも，曲がらずに真っ直ぐ書けるように格子状のガイドラインを設けたことを特徴とするポストカ−ド。
【考案の詳細な説明】
【０００１】  この考案は，ポストカ−ドの表地に宛名や文章を書く際，縦書きでも横書きでも曲がらずに真っ直ぐ書けるよう，予め方形の線分を印刷した格子状のガイドラインを設けたポストカ−ドに関するものである。
【背景技術】
【０００２】  従来，ポストカ−ドの表地は，郵便番号記入欄以外は無地のものが多かった。
【考案が解決しょうとする課題】
【０００３】  これは，次のような問題点があった。
ポストカ−ドの表地に，宛名や文章を書く際，曲がらずに真っ直ぐ書くことが難しく，このため，予め鉛筆で線を引き，後でけしごむで消す例も多い。
このため，葉書やポストカ−ドの利用を敬遠しがちだった。
本考案は，以上のような欠点をなくし，ポストカ−ドを使用する際，予め印刷された格子状の線分のガイドラインに沿って書くだけですむよう，手軽に，快適にに使用できる格子状のガイドラインを設けたポストカ−ドに関するものである。
【課題を解決するための手段】
【０００４】  （１）ポストカ−ドの表地全体を記入欄を方眼紙式ポストカ−ドとし，宛名等を記入する際，縦書きでも横書きでも曲がらずに真っ直ぐ書けるようにするため，格子状のガイドラインを設ける。
（２）このため，上部の郵便番号記入欄を除いた表地全体について，おおよそ５ｍｍ幅の格子状の線分を印刷する。
（３）（２）の格子状の線分は，（１）のガイドラインとしての目的を達成できる範囲で，できる限り薄い色で印刷する。
（４）表地全体を宛先記入欄として使用する場合と表地全体を宛先記入欄と文章記入欄に二分して使用する場合を想定し，表地中央部の縦の線分は印刷しないこととし，あたかも表地全体に上下２つの方眼紙群があるようにする。
【本考案を実施するための最良の形態】
【０００５】  以下，本考案を実施するための最良の形態について説明する。
（１）ポストカ−ドに宛名や文章を書く場合，予め印刷された格子状のガイドラインに沿って書く。
（２）縦書きの場合は，縦の線分に沿って書き，横書きの場合は，横の線分に沿って書けばよい。
（３）表地全体を宛名欄として使用することも，また，上下２つの方眼紙群を使い，宛名と文章を分けて書いてもよい。
【考案の効果】
【０００６】  ポストカ−ド，絵手紙，絵葉書等の普及がめざましい反面，表地が無地のものが多く，宛名等を曲がらず真っ直ぐに書けるものは見当たらない。
本考案のポストカ−ドは，表地に，予め格子状のガイドラインを印刷することにより，ポストカ−ドを，手軽に快適に使用できるようにしたものである。
本考案の格子状のガイドラインを設けたポストカ−ドは，
（１）ポストカ−ドの表地に格子状のガイドラインを印刷してあることにより，縦書きでも横書きでも曲がらず真っ直ぐに書くことができる。
（２）薄い色で印刷した格子状のガイドラインは，個々の線分ははっきり見えないものの，表地全体としては，線分の色が反映した綺麗な表地が形成され，また，線分の色を変えることにより，違った雰囲気のポストカ−ドとなる。
（３）格子状の線分に変え，線分の交差点を「・」印や「＋」印としてもよい。
（４）表地に留まらず，裏地に格子状のガイドラインを印刷することも可能である。
（５）この格子状のガイドラインを設けたポストカ−ドは，郵政公社のはがきや年賀はがきにも利用が可能である。
【図面の簡単な説明】
【０００７】
【図１】    本考案のポストカ−ドの正面図である。
【符号の説明】
【０００８】
【図１】
0003120683.tif 000003
(57)【要約】【課題】球根の配置を容易にし、一度に多数の球根を植え付けられる、自然環境に優しい球根植え付け用トレーを提供する。【解決手段】排水性・通気性・保水性に優れ自然環境に優しい天然のココヤシ繊維素材にバインダーを所要量混合して植え付け用トレー本体１を形成し、その上面に植え付け用穴２を複数配置することで、球根５を植える前に配置やデザインを簡単に設定でき、球根５入りのトレー１ごと容易に土４に埋められることを特徴とする。【選択図】図２
0003120686.tif 000002
【実用新案登録請求の範囲】
【請求項１】
天然のココヤシ繊維素材にバインダーを所要量混合し形成したハート型の球根植え付け用トレー本体１の上面に、植え付け用穴を複数配置したことを特徴とするココヤシ製球根植え付け用トレー。
【考案の詳細な説明】
【技術分野】
【０００１】  この考案は、球根植え付け用トレーに関する。
【背景技術】
【０００２】  従来土や植木鉢に球根を植える場合は一球ずつ植える。
【考案の開示】
【考案が解決しようとする課題】
【０００３】しかしながら、以上の技術によれば、球根の配置を考えながら球根を個別に植えなければならない。
そこで、この考案は、複数の植え付け用穴を設けた植え付け用トレーに球根を簡単に配置し、トレーごと土に埋めることで、配置をくずすことなく一度に多数の球根を植えつけられる植え付け用トレーを提供することを課題とする。
【課題を解決するための手段】
【０００４】  以上の課題を解決するために、第一考案は、自然環境に優しく、排水性・通気性・保水性に優れた天然のココヤシ繊維を球根植え付け用トレー本体１の素材に用いたことを特徴とするココヤシ製球根植え付け用トレーである。
また、第二考案は、球根植え付け用トレー本体１上面に植え付け用穴２を複数配置し、植え付け用トレーの形状をハート型にしたことを特徴とするココヤシ製球根植え付け用トレーである。
【考案の効果】
【０００５】  第一考案、または第二考案によれば、球根植え付け用トレー本体１に天然のココヤシ繊維を素材に用いたので自然環境に優しく、排水性・通気性・保水性に優れ、ハート型のトレー本体１に植え付け用穴２を複数配置することで、球根５の配置をくずすことなく一度に多数の球根５を植え付けられる。
【考案を実施するための最良の形態】
【０００６】  この考案の一実施形態を、図１に示す。
植え付け用トレー本体１はココヤシ製であり、この本体１に植え付け用穴２が複数配置されている。【０００７】「実施形態の効果」
この実施形態によれば、植え付け用トレー本体１に植え付け用穴２が複数配置されていることで、球根５を植える前に配置やデザインを簡単に設定できて球根５入りのトレー１ごと土４に容易に埋められる。【０００８】「他の実施形態」
図１の実施形態では、植え付け用穴２はココヤシ製植え付け用トレーの本体１に円柱状の穴２が複数配置されているが、他の実施形態では、植え付け用穴２はココヤシ製植え付け用トレーの本体１に溝を複数配置させたものでも良い。又形状はハート型だけでなく、星型、角型、丸型等その他様々な形でも良い。
【図面の簡単な説明】
【０００９】
【図１】本考案のココヤシ製植え付け用トレーを示す斜視図である。
【図２】本考案の使用状態を示す断面図である。
【符号の説明】
【００１０】      １  ココヤシ製植え付け用トレー本体      ２  植え付け用穴
３  側面      ４  土      ５  球根
【図１】
0003120686.tif 000003
【図２】
0003120686.tif 000004
(57)【要約】      （修正有）【課題】三脚を使用せず、安定したカメラ撮影を実現する肩脚を提供する。【解決手段】角度と長さ調整のできる脚材にカメラ固定用の雲台と肩に載せる為の肩パットを設けた肩脚を使用する。【選択図】図１
0003120681.tif 000002
【実用新案登録請求の範囲】
【請求項１】
ビデオカメラ及びカメラ（以下「カメラ」という。）を撮影時に肩に載せる為の装置であって、肩に当てる肩パットと、肩パットから上方に延びて設けられている棒状の脚部（以下「肩脚本体」という。）と、この肩脚本体の上部に設けられているカメラを固定する雲台と、を有することを特徴とする肩脚。
【請求項２】
前記肩脚本体は、二本の棒状の脚材を直列に連結するヒンジ部と、このヒンジ部の緩みを調整して、前記ヒンジ部の角度調整ができるネジと、を有することを特徴とする請求項１に記載の肩脚。
【請求項３】
前記肩脚本体は、各々の長さが数段階に調整できることを特徴とする請求項２に記載の肩脚。
【考案の詳細な説明】
【技術分野】
【０００１】この発明は、ビデオカメラ及びカメラに用いる人体へ据付型装置に関する。
【背景技術】
【０００２】従来の三脚や一脚は地面に置いて固定させるものである。
【考案の開示】
【考案が解決しようとする課題】
【０００３】しかしながら、以上の技術によれば、イベント、運動会、卒業式等においての観覧席又は来賓席からの撮影は、安定した画像で長時間の撮影が求められる為、三脚や一脚を設置すべく最前列と据え置く場所の確保が必要であるが、殆どの人は場所の確保が困難な為、後ろからカメラを高い位置へ持ち上げて、前の人を避けての撮影になり、手ぶれ修正機能を備えたカメラにおいても、修正許容範囲を超えてしまい安定した撮影が難しく、また、腕の疲労により撮影自体や長時間の撮影を断念せざるをえなかった。
そこで、この発明は、三脚を使用せず、また、カメラを高い位置に持ち上げての撮影による手ぶれ防止と腕の疲労を軽減し、安定したカメラ撮影を実現する肩脚を提供することを課題とする。
【考案が解決するための手段】
【０００４】以上の課題を解決するために、第一発明は、肩脚本体と肩脚本体上部に一般的な三脚で使用されている調整機能が付いた雲台、肩脚本体下部に角度調節できる肩パットを付けることを特徴とする肩脚である。
第二発明は、肩脚本体はヒンジ部のネジにより、角度調整ができることを特徴とする肩脚である。
第三発明は、状況や使用する人に合わせるために、肩脚本体を数段階に長さ調整できることを特徴とする肩脚である。
【考案の効果】
【０００５】第一発明、第二発明、第三発明によれば、カメラを雲台に固定した肩脚を肩に据付けての撮影なので、手ぶれ防止と腕の疲労を軽減することにより、安定した画像で長時間の撮影が可能となる。
【考案を実施するための最良の形態】
【０００６】この発明の一実施形態を、図１に示す。
図１に示すように、肩脚は長さが数段階に調整できる二本の棒状の脚材（１）、（２）と、二本の棒状の脚材（１）、（２）を直列に連結するヒンジ部（３）と、ヒンジ部（３）の角度調整をおこなうネジ（４）から構成される肩脚本体（イ）があり、肩脚本体（イ）の上部は、一般の三脚に使用される調整機能が付いた雲台（５）と、肩脚本体（イ）の下部は、肩に載せて角度調整が可能な器具（６）で接続された肩パット（７）からなる。
【図面の簡単な説明】
【０００７】
【図１】斜視図
【符号の説明】
【０００８】イ  肩脚本体
１  棒状の脚材
２  棒状の脚材
３  ヒンジ
４  ネジ
５  雲台
６  角度調整が可能な器具
７  肩パット
【図１】
0003120681.tif 000003
(57)【要約】【課題】  従来の風呂釜清掃用具では届かない風呂釜内の熱交換管の最奥まで清掃可能な水洗式の風呂釜清掃具の考案。【解決手段】  風呂釜内の清掃を行うにあたり、風呂釜内の熱交換管が釜の内部で曲折していることにより、従来の清掃用具では熱交換管の途中までの挿入しかできず、十分な清掃のできなかった問題を解決するため、本考案は清掃用具の先端に先端を曲げた形状で、水の噴出方向を広範囲に噴出できる水噴出口（２）を設けた先端キャップ（１）を、同じく水の噴出方向を広範囲に噴出できる水噴出口（４）を設けた小径ホース（３）に取り付けた清掃用具を考案することにより、風呂釜内の熱交換管が曲折している先の最奥まで容易に当該用具の挿入を可能とした上、当該管内の全域において効果的な清掃を可能とした。【選択図】図１
0003120687.tif 000002
【実用新案登録請求の範囲】
【請求項１】
斜め前方から斜め後方の角度で内部から水を噴出できる水噴出口（２）を設けた先端の曲がった先端キャップ（１）を、斜め前方から斜め後方の角度で水を噴出できる水噴出口（４）を設けた小径ホース（３）の先に取り付けた風呂釜清掃具。
【考案の詳細な説明】
【技術分野】
【０００１】  この考案は、水道水の圧力を利用し、水道ホースの先端に水噴出用の器具を取り付けた風呂釜清掃具である。
【背景技術】
【０００２】  従来、直線的で風呂釜の中の途中までしか挿入できないシャワー状の風呂釜清掃具や、長い柄の先にブラシを取り付けた風呂釜清掃具、あるいは、泡を発生させて汚れを取り除く製品があった。
【考案の開示】
【考案が解決しようとする課題】
【０００３】  風呂釜内の清掃を行うに際し、風呂釜内の熱交換管は奥で曲がっており、従来のシャワー式又はブラシ式の風呂釜清掃具では届かなかった風呂釜内熱交換管の最奥まで清掃可能な清掃具を考案するものである。
【課題を解決するための手段】
【０００４】  風呂釜の奥まで挿入が可能な清掃具として、小径ホース（３）の先端に、内部から水を噴出できる水の噴出口（２）を設けた構造で、先端を曲げた形の水噴出用先端キャップ（１）を取り付けるもので、このキャップは先端を曲げた形状とすることにより、従来の風呂釜清掃具が、風呂釜内部の途中までしか挿入できない問題を解決し、風呂釜内をくまなく清掃することが可能となるよう、風呂釜内にある熱交換管の曲がった先の最奥まで挿入ができるものとした。また、この水噴出用先端キャップ（１）及び小径ホース（３）は、共に水の噴出する方向が斜め前方・側方に加え、斜め後方にも噴出が可能な向きで噴出口を設けた構造とした。
【考案の効果】
【０００５】  本風呂釜清掃具は、従来の清掃具では届かなかった風呂釜の中の熱交換管内の最奥まで容易に挿入させることができ、しかも、湯垢等の汚れを取る工夫として、噴出させる水の方向を斜め前方、側方だけでなく、斜め後方までも可能とし、斜め前方や側方への水の噴出では取れなかった湯垢等の汚れも、斜め後方にも噴出させる水の力により、さらに清掃効果を上げることができるものである。
【考案を実施するための最良の形態】
【０００６】  水噴出用先端キャップ（１）の形状は、先端側を約３０度から６０度の範囲内に曲げて、その最先端の位置が、当該キャップに接続される小径ホースの外周の延長線上の外側に達する位置まで伸ばした長さをもつ形状で、これを小径ホースの先端に取り付けることにより、風呂釜内の奥まで容易に挿入可能とした風呂釜清掃具であり、水噴出用先端キャップ（１）の表面は、なめらかな曲面をなし、材質は塩化ビニルまたは硬質プラスチック等で、前面及び側面の周囲には、内部から、斜め前方、側方及び斜め後方の向きに水を噴出できる水噴出口（２）を放射状に多数設け、この水の噴出口の角度は、当該先端キャップの中心線に対し、３０度から１５０度の範囲の方向に向けて開けた構造とし、小径ホース（３）との接続部分は、ネジ切り構造で、水圧が加わったときに抜け落ちない構造とするものである。また、小径ホース（３）は、水噴出用先端キャップ（１）と接続している接続箇所付近においても、当該ホース（３）の中心線に対し、３０度から１５０度の範囲の方向に向けて水の噴出口（４）を多数放射状に開けた構造とする。
【実施例】
【０００７】  本案は水道ホース（７）部分を水道蛇口に接続して、この清掃具の先端側を風呂釜内の奥深くまで挿入し、先端キャップ及び小径ホースの噴出口から噴出する水道水圧のかかった水の力で風呂釜内の湯垢等を剥離洗浄する風呂釜清掃具であり、小径ホース（３）と水道ホース（７）の接続箇所はネジ切り構造により着脱が可能な接続ジョイント（５）で接続され、この部分はゴムパッキン（６）により水漏れを防ぐものであり、この考案の変化例としては、水道ホース（７）と小径ホース（３）の接続部分は、ホース接続ジョイント（５）を介することなく、当該ジョイント取付け箇所付近において、ホースの径を絞り込み、ホース自体は一体構造のまま小径ホースの径のサイズにする場合もあり、この方法での製作であれば、ホース接続ジョイントが不要となり、製作コストを安価に抑えられるものである。
【産業上の利用可能性】
【０００８】  この考案は、水噴出用のキャップをホースに取り付けた風呂釜清掃具に関するものであり、追い焚き可能な風呂釜をもつ家庭用風呂の風呂釜清掃具として利用が見込まれる。
【図面の簡単な説明】
【０００９】  代表図は図１で、簡略化して示した風呂釜断面の内部に、水道蛇口に接続した本案の風呂釜清掃具を挿入した状態の部分断面図である。【図１】風呂釜の内部に風呂釜清掃具を挿入した状態を示す部分断面図である。
【図２】先端キャップ及び小径ホースの水噴出口、ホース接続ジョイントを示した縦断面図である。
【図３】先端キャップ及び小径ホースの水噴出口、ホース接続ジョイントを示した側面図である。
【図４】先端キャップの前面側から見た正面図である。
【図５】先端キャップから水道ホースまでを示した斜視図である。
【符号の説明】
【００１０】１  先端キャップ
２  先端キャップの水噴出口
３  小径ホース
４  小径ホースの水噴出口
５  ホース接続ジョイント
６  水漏れ防止ゴムパッキン
７  水道ホース
【図１】
0003120687.tif 000003
【図２】
0003120687.tif 000004
【図３】
0003120687.tif 000005
【図４】
0003120687.tif 000006
【図５】
0003120687.tif 000007
(57)【要約】【課題】  エアコンの室外機から排出される風が正面方向に流れてしまうことを防止する。【解決手段】  エアコンの室外機の排気口の外側に、任意方向への風の排気路を確保する。【選択図】図１
0003120693.tif 000002
【実用新案登録請求の範囲】
【請求項１】
エアコンの室外機の排気口から排出される風の風向きを上下左右の任意方向へ変換させる為の排気路を確保させることを特徴とする風向き変換器。
【考案の詳細な説明】
【技術分野】
【０００１】  本考案は、エアコンの室外機の風が正面に排出されることを防止する為のエアコンの室外機の付属品に関するものである。
【背景技術】
【０００２】  エアコンの室外機から排出される風を斜め方向に調節する板は従来からある。
【考案の開示】
【考案が解決しようとする課題】
【０００３】  エアコンの室外機から排出される風を隣の家や歩行者から逸らす対策として、斜め方向への風向き調節では十分な効果が得られない場合が多い。
【課題を解決するための手段】
【０００４】  エアコンの室外機の排気口の外側に壁を設置することにより、上下左右の任意方向への風の排気路を確保する。
【考案の効果】
【０００５】  エアコンの室外機から排出される風の風向きを上下左右の任意方向に変換することにより、風を当てたくない対象物から風向きを確実に逸らすことができる。
【考案を実施するための最良の形態】
【０００６】  風向きの変換方向は、上下左右のいづれか一方向が望ましい。同一方向への風量を増大させることにより、風の流れが安定する。
【実施例１】
【０００７】  エアコン室外機の上下を板で挟み、金具で固定する。排気口の正面にも板を設置し、上下の板を支えとする金具で固定する。左右のどちらか任意の開口部にも板を設置し、上下の板を支えとする金具で固定する（図１）。
【実施例２】
【０００８】  エアコンの室外機の排気口そのものに、任意方向のみに風の流路が確保できる箱状のものを設置することでも解決できる（図３）。
【図面の簡単な説明】
【０００９】
【図１】  平面図（実施例１）
【図２】  側面図（実施例１）
【図３】  平面図（実施例２）
【図４】  側面図（実施例２）
【符号の説明】
【００１０】１  エアコンの室外機本体
２  エアコンの室外機本体の排気口
３  金具
４  風の流路を確保する為の板
５  風の流路を確保する為の箱状のもの
６  風の流路を確保する為の箱状のものの開口部
７  排気路
【図１】
0003120693.tif 000003
【図２】
0003120693.tif 000004
【図３】
0003120693.tif 000005
【図４】
0003120693.tif 000006
(57)【要約】【課題】肩の痛みを無くして、耳からの雑音を無くする。【解決の手段】横向きに寝る時に頭を高くして脊髄が曲らない様にして、耳の当たる箇所をカットする事で解決した。【選択図】図１
0003120699.tif 000002
【実用新案登録請求の範囲】
【請求項１】
凸型にして耳の当たる所をカットして首や肩や耳朶が痛くならない様に作った枕である。
【考案の詳細な説明】
【考案の詳細な説明】
【０００１】硬からず、柔らか過ぎない素材のポリエチレンを土台にした凸型の枕です
【０００２】高い所は、横向きに寝たときに脊髄が曲らない程度の高さを保てる、人にも寄りますがだいたい１７−８−センチ位の高さで、頭の当たる部分には、そば殻を入れて熱を持たない様にした。
【０００３】耳の当たる部分をカットして血流、他の雑音が入らない様にした。
【考案が解決しようとする課題】
【０００４】何としても肩の痛さと耳の雑音を無くしたかった。
【考案の効果】
【０００５】この型にしてから１年間使いましたが、大変安眠出来た。
【図面の簡単な説明】
【０００６】
【図１】凸型してラセンの所はソバガラの部分で肩の高さを考える部分でもある
【図１】
0003120699.tif 000003
(57)【要約】      （修正有）【課題】鉄アレイの両端の錘は重量が密閉固定されていて筋力の向上の変化に充分な対応が出来なかった。本考案は、鉄アレイの重量を簡単に微増調整しながら強くなった筋力に自然と抵抗感覚の自覚無しに応えんとする物である。【解決手段】鉄アレイ両端の錘部を円筒状にし空洞化して此処に均一且つ簡単に変更出来るドーナツ形の充填材を充填して錘部の重量を微調整し変更する。其処で鉄アレイの両端の錘部を空洞化して此処に強くなった筋力或は休んで弱くなった筋肉に対応すべく細分化された錘を細かく加減、動かぬ様に充填する事により、都合で休んで弱くなった筋肉、鍛えて強くなった筋力等々に度の様にでも対応は自在となる。【選択図】図２
0003120691.tif 000002
【実用新案登録請求の範囲】
【請求項１】
鉄アレイ両端の空洞化した円筒状の錘部内部に均一且簡単に変更出来る充填材を充填して錘部重量を簡単に微調整出来る鉄アレイ
【考案の詳細な説明】
【考案が解決しようとする課題】
鉄アレイの両端の錘は重量が密閉固定されていて筋力の向上の変化に充分な対応が出来なかった。スポーツは限られた選手だけのものではなく少年も老人も年齢に関係なく楽しみ且つ鍛えれば必ず増える筋肉です、鍛錬を重ねて増えて強くなった少年や、老人の筋肉に対して軽くなっていく鉄アレイをどの様にして強くなった少年や老人の筋力に対応させるか、鉄アレイの重量を簡単に微増調整しながら強くなった筋力に自然と抵抗感覚の自覚無しに応えんとする物である。
【課題を解決するための手段】
鉄アレイ両端の錘部を円筒状にし空洞化して此処に均一且つ簡単に変更出来るドーナツ形の充填材を充填して錘部の重量を微調整し変更する
ドーナツ型充填材の        外円半径をｒ
内円半径をｒ１
厚みを    ｔ    とし
ドーナツ形充填材一個の体積を求める
0003120691.tif 000003
今  ｒ＝３．２７    ｒ１＝１．１    ｔ＝０．２３
とすると            Ｖ＝６．８５
Ｖ×比重  で充填材一個の重量が算出される、充填材の素材をアルミ、鉄鉛と仮定すると
比重        Ｖ
アルミ  ２．６２    ６．８５×２．６２＝１７．９５
鉄    ７．８６    ６．８５×７．８６＝５３．８４
鉛  １１．３      ６．８５×１１．３＝７７．４０    と算出され錘部の重量は０から鉛の充填材を両端部に各々二十枚を充填すると、
其の重量は  ７７．４×２０×２＝１５４８×２＝３０９６  と為り、微調整の幅は大きく充分に初期の目的を達する。
【考案の効果】
鉄アレイが軽く感じた時、軽く成った其の都度鉄アレイの重量を微増調整しつつ強くなった筋力に細やかに応える。
【図面の簡単な説明】
【図１】  鉄アレイの側面外観図
【図２】  鉄アレイの重量可変錘部の分解的解剖概観図
【図３】  ドーナツ型錘部充填材の平面図と側面図
【符号の説明】
１  空洞化した鉄アレイ端の錘部分
２  空洞部分に詰める調整用錘
３  錘留め金
４  空洞化部分の外蓋
５  外蓋留め金
６  ドーナツ型充填材の外円半径ｒ
７  ドーナツ型充填材の内円半径ｒ１
８  ドーナツ型充填材の厚みｔ
【図１】
0003120691.tif 000004
【図２】
0003120691.tif 000005
【図３】
0003120691.tif 000006
(57)【要約】【課題】  エアコンの室外機から排出される風が正面方向に流れてしまうことを防止する。【解決手段】  エアコンの室外機で遠心力ファンを使用する。【選択図】図１
0003120694.tif 000002
【実用新案登録請求の範囲】
【請求項１】
エアコンの室外機に遠心力ファンを使うことにより、エアコンの室外機から排出される風を上下左右の任意方向へ流すことができることを特徴とするエアコンの室外機。
【考案の詳細な説明】
【技術分野】
【０００１】  本考案は、エアコンの室外機の風が正面に排出されることを防止する為のエアコンの室外機に関するものである。
【背景技術】
【０００２】  エアコンの室外機から排出される風を斜め方向に調節する板は従来からある。
【考案の開示】
【考案が解決しようとする課題】
【０００３】  エアコンの室外機から排出される風を隣の家や歩行者から逸らす対策として、斜め方向への風向き調節では十分な効果が得られない場合が多い。
【課題を解決するための手段】
【０００４】  エアコンの室外機で遠心力ファンを使用する。
【考案の効果】
【０００５】  エアコンの室外機で遠心力ファンを使用することにより、エアコンの室外機から排出される風の流れは垂直方向となり、風を当てたくない対象物から風向きを確実に逸らすことができる。
【考案を実施するための最良の形態】
【０００６】  垂直に排出される風向きは、上下左右のいづれか一方向が望ましい。同一方向への風量を増大させることにより、風の流れが安定する。
【図面の簡単な説明】
【０００７】
【図１】  断面図
【図２】  側面図
【符号の説明】
【０００８】  １  エアコンの室外機本体
２  遠心力ファン
３  排気口
【図１】
0003120694.tif 000003
【図２】
0003120694.tif 000004
(57)【要約】【課題】  留め金具のない、柔らかい素材のネックレスに使用するクラスプ（金具）で、片側を固定出来る為に取り外しが容易に出来ると共にペンダントを取付けることも出来る様にする。【解決手段】  本考案は１クラスプ本体に３固定金具のクリップを設け、２柔らかい素材のネックレスの片側を固定し、容易にセット出来ると共に、４クラスプ開口部に他のペンダントを取付ける事も可能とし、機能及び使い易さに役立つ。【選択図】図１
0003120700.tif 000002
【実用新案登録請求の範囲】
【請求項１】
本体に、留め具（クラスプ）を取付ける事により、片側を固定し付け外しを簡易にしたネックレス用の留め金具。
【考案の詳細な説明】
【技術分野】
【０００１】  本考案は、片側を固定できる、ネックレスの留め金（クラスプ）に関するものである。
【背景技術】
【０００２】  貴金属と毛皮の組合せにより、柔らかい素材への部品取付けがしにくく、貴金属パーツに片側を固定できる物が見当たらず、今回の開発に至った。
【考案の開示】
【考案が解決しようとする課題】
【０００３】  硬い物（貴金属パーツ）を、毛皮の先に付いた革紐（やわらかい物）に取付け、取り外しする際に手探りになる為、難しかった現状を解決しようとするものである。
【課題を解決するための手段】
【０００４】  本考案は留め具本体に、固定用止め具（クリップ）を取付ける事により、片側を固定すると共に、本体の回転を防ぎ、使用時の容易さを可能にしている。
【考案の効果】
【０００５】  上述のように、本考案の金具は片側を固定できる為、今迄の使用時の難しさを解消する物であり、ペンダント等を取付ける際も容易として役立つ。
【考案を実施するための最良の形態】
【０００６】  本体にある固定用留め具に片側をはさみ固定し、後は通常のネックレスを取付ける要領で、使用する。勿論、本体にペンダントの装着も可能。
【実施例】
【０００７】  以下、添付図面に従って説明します。１．は貴金属製のネックレス留め金具。２．ファーネックレス。３．は片側固定の為の金具（クリップ）４．は本体開口部でここにペンダントを通す事も可能。
【図面の簡単な説明】
【０００８】
【図１】  本考案のネックレスの使用例。
【符号の説明】
【０００９】１  留め金具（クラスプ）
２  ファーネックレス
３  固定金具（クリップ）
４  本体開口部
【図１】
0003120700.tif 000003
(57)【要約】【課題】磨耗率の低下、耐久性の向上せしめ、さらに小型化を可能とし、又、操作の一連の動作をスムーズに連続して敏速かつ容易に行えるようにした釣り用リール歯車装置を提供すること目的とする。【解決手段】従来の魚釣り用リールの歯車はインボリュート歯車の組合せによってスプールを回転させる。しかしながらインボリュート歯車は噛合い歯数が少なく磨耗率が高く著しく耐久性に劣っていた。又、長期間使用している間に噛合精度が低下し回転が円滑に行われない。本考案は前記目的を達成するためにリールの巻き取り歯車にトロコイド系曲線波形を持つ１枚もしくは２枚の歯数差内接遊星歯車と円弧波形を持つ等速度内歯車の組合せからなる駆動部を有することを特徴とする魚釣り用リール歯車装置である。【選択図】図１
0003120657.tif 000002
【実用新案登録請求の範囲】
【請求項１】
フレームを固定しているリール本体内部において、組み込まれたハンドル軸支持ベアリングに嵌合されたハンドル軸の回転に伴って、前記ハンドル軸先端の内ローラー付き内ピンを介し、エピトロコイド平行曲線を採用した１枚もしくは２枚の歯数差遊星歯車と、フレーム内側に組み込まれた外ピンの等配列すなわち円弧歯形をもつ等速度内歯車の複数歯が転がりながら同時に噛合い滑らかに転がり常に接触し高速で公転しながら、且つ同時に低速で自転するとともに前記ハンドル軸先端の内ローラー付き内ピンで得られた回転は、高速で公転しているエピトロコイド平行曲線を採用した前記歯数差遊星歯車の中心部に接合されている偏心体付きベアリングを高速回転せしめ、スプール軸支持ベアリングに接合するスプール軸が、前記偏心体付きベアリングにも嵌合されているので、偏心体付きベアリングの高速回転が、前記スプール軸にその回転を取り出し、スプールを回転せしめるともに前記内ローラー付き内ピンは偏心体ベアリングに接合されたスプール軸中心と同心円上に等配置されているので、容易にハンドル軸とスプール軸を同心にすることができる駆動部を有することを特徴とする魚釣り用リール歯車装置。
【考案の詳細な説明】
【技術分野】
【０００１】本考案は、魚釣り用リール歯車装置の改良に関する。
【背景技術】
【０００２】一般に魚釣りリールの巻き取り装置としての歯車はインボリュート歯車、ハーモニックドライブの多段組合せの駆動部を用いて形成することが知られている。
【考案の開示】
【考案が解決しようとする課題】
【０００３】しかしながら前記方式は、インボリュート歯車やハーモニックドライブの平行軸歯車による組合せ駆動の為、噛合歯数が少なく操作が円滑に行われない。【０００４】長期間使用している間に噛合精度が低下し磨耗率が高く著しく耐久性劣る問題点がある。【０００５】本考案は、このような欠陥を改善して歯車の噛合精度の向上、摩耗率の低下耐久性の向上、小型化を提供することを目的とするものである。
【考案が解決するための手段】
【０００６】本考案は前記目的を達成するために、リールの歯車にエピトロコイド曲線を採用した波形を持つ１枚もしくは２枚の歯数差内接遊星歯車と円弧波形を持つ等速度内歯車の組合せからなる駆動部を有することを特徴とする魚釣り用リール歯車装置である。
【考案の効果】
【０００７】本考案の内接遊星歯車と円弧波形を持つ等速度内歯車の採用によって同時噛合数をもつので噛合率が高い。
【０００８】内接遊星歯車及び円弧波形を持つ等速度内歯車は複数個の歯が常に転がりながら噛み合う転がり接触機構の為、歯先干渉が無く歯損・磨耗が少ない。
【０００９】入出力軸同心であり小型化が容易となる。
【考案が実施するための最良の形態】
【実施例】
【００１０】前記目的を達成するために本考案を以下図面にそって説明すると、リール本体１はフレーム２を固定している。フレーム２に組み込まれたシール３及びハンドル軸支持ベアリング４に嵌合されたハンドル軸５を回転させると、ハンドル軸先端の内ローラー付き内ピン６を介し、エピトロコイド平行曲線を採用した１枚もしくは２枚の歯数差遊星歯車７と、フレーム２内側に組み込まれた外ピン８の等配列すなわち円弧歯形をもつ等速度内歯車９の複数歯が転がりながら同時に噛合い滑らかな転がり常に接触し、高速で公転しながら尚且つ同時に低速で自転する。
ハンドル軸先端の内ローラー付き内ピン６で得られた回転は、高速で公転しているエピトロコイド平行曲線を採用した１枚もしくは２枚の歯数差遊星歯車７の中心部に接合されている偏心体付きベアリング１０を高速回転せしめ、スプール軸支持ベアリング１１に嵌合されたスプール軸１２が偏心体付きベアリングにも嵌合されているので、偏心体付きベアリングの高速回転が、スプール軸１２にその回転を取り出しスプール１３を回転せしめる駆動部を有することを特徴とする魚釣り用リール歯車装置である。
尚、内ローラー付き内ピン６は偏心体ベアリング１０に嵌合されたスプール軸１２中心と同心円上に等配置されているので、容易にハンドル軸５とスプール軸１２を同心にすることができる。
【図面の簡単な説明】
【００１１】
【図１】本考案の縦断図
【図２】図１の部分分解図
【図３】図１の偏心体ベアリング縦断面図
【符号の説明】
【００１２】１  リール本体
２  フレーム
３  シール
４  ハンドル軸支持ベアリング
５  ハンドル軸
６  内ローラー付き内ピン
７  歯数差内接遊星歯車
８  外ローラー付き外ピン
９  等速度内歯車
１０  偏心体軸受けベアリング
１１  スプール軸支持ベアリング
１２  スプール軸
１３  スプール
１４  サシワ
【図１】
0003120657.tif 000003
【図２】
0003120657.tif 000004
【図３】
0003120657.tif 000005
(57)【要約】      （修正有）【課題】場所もとらずに各文房具を収納できるペン立てにより家庭や事務上の作業の能率を高める。【解決手段】ペン立て容器を高さによって区画し、ペン１、定規２、消しゴム３等を分別して収納し、容器の側面にカギフック６を設けてメモ用紙５を引っ掛けて吊り下げてセットしたペン立てを提供する。【選択図】図１
0003120652.tif 000002
【実用新案登録請求の範囲】
【請求項１】
ペン立て容器の高さを３段に形成し、ペン、定規、消しゴム等それぞれ大きさに分別した区画を設け、該ペン立て容器の側面（４）にカギフック（６）を設け、メモ用紙（５）を吊り下げて配したことを特徴としたペン立て。
【考案の詳細な説明】
【技術分野】
【０００１】
本考案は、鉛筆やボールペン、定規、メモ用紙などを整理して置けるペン立てに関する。
【背景技術】
【０００２】
ペン立て・筆立てに関する考案は数多く開発され市販もされているが、多機能のものは大型となり机上に置いて邪魔になり、また小型のものは収納する数も限られていて使い勝手が悪いという傾向にある。
【特許文献１】特開２０００−３３５１９２号公報
【考案の開示】
【考案が解決しようとする課題】
【０００３】
本考案は、場所もとらずに各文房具を収納できるペン立てを目的とするものであって、家庭や事務上の作業の能率を高めることである。
【課題を解決するための手段】
【０００４】
前記問題を解決するため本考案はいくつかの試作を重ねた結果本考案に到達したものであって、本考案は収納容器の高さを２段・３段と違いをもたせ、高さのある鉛筆やペンは高さのある区画に、定規やホッチキスは中位の高さの区画に、また消しゴムやクリップ等は皿状の浅い場所に納めるように区画を作り、収納容器の側面にフックを取りつけてメモ
用紙を吊り下げる形式とすることによって机上の場所もとらず、机上の面板が常に整理できる。
【考案の効果】
【０００５】
上述のように本考案のペン立ては、多種の文房具が収納できるのに拘らず、コンパクトに収まり、しかもメモ用紙までも一体となって、ペン立て容器の側面にあって単に引きちぎるだけで取れる便利さがあるため使用勝手が良く卓上の整理整頓ができるという使用上の効果を奏する。
【考案を実施するための最良の形態】
【０００６】
図示されるように、本考案のペン立ては区画が高さによって区別されて仕切られ、図示の形状に限られることなく材質も木製、プラスチック製等が考えられる。
【実施例】
【０００７】
図は本考案のペン立ての形状を示す一実施例であって、（１）はペンや鉛筆等長い筆記具を入れる区画を示し、（２）は定規やホッチキス等の中位の用具を入れる区画を示している。
【０００８】
（３）は皿状の浅い区画であって、クリップや消しゴム等を入れる区画とする。また（４）は全体の側面であって、この部分にはフックを設け、図示のようにメモ用紙を掛ける。さらに他に空面があれば学習用や仕事上の予定表なども貼付することができる。
【産業上の利用可能性】
【０００９】
上述のように本考案のペン立ては、全体にコンパクトに成形されていて、しかも鉛筆等の筆記具の外にメモ用紙が一体となっていて引きちぎることによって簡単に取れる便利さがあり、利用の可能性は大きい。
【図面の簡単な説明】
【００１０】
【図１】本考案のペン立ての側面図を示している。
【符号の説明】
【００１１】
１  ペン入れ
２  定規等入れ
３  消しゴム等小物入れ
４  側面空間
５  メモ用紙
６  メモ用紙掛け用フック
【図１】
0003120652.tif 000003
(57)【要約】      （修正有） 【課題】陶磁器の外（施釉）と高台内（施釉）に黒釉（長石、石灰、天草陶石、タルク、黒色顔料）、内（施釉）に赤釉（長石、珪石、天草陶石、石灰、赤色顔料）を使用して、漆が出す光沢、形状を表現した陶磁器を安価に提供する。【解決手段】陶磁器の外（施釉）１と高台内（施釉）３に黒釉（長石、石灰、天草陶石、タルク、黒色顔料）、内（施釉）２に赤釉（長石、珪石、天草陶石、石灰、赤色顔料）を使用して、漆が出す光沢、形状を特徴とするもである。【選択図】図１
0003120651.tif 000002
【実用新案登録請求の範囲】
【請求項１】
陶磁器の外（施釉）と高台内（施釉）に黒釉（長石、石灰、天草陶石、タルク、黒色顔料）、内（施釉）に赤釉（長石、珪石、天草陶石、石灰、赤色顔料）を使用して、漆が出す光沢、形状を表現した陶磁器。
【請求項２】
高台巻に上絵焼成（高台に加工した絵具は通常の絵具より、磨耗を強化した絵具を使用している）で、コーティングしてあるのでテーブルにも傷つき難い陶磁器。 
【考案の詳細な説明】
【技術分野】
【０００１】
陶磁器の外（施釉）と高台内（施釉）に黒釉（長石、石灰、天草陶石、タルク、黒色顔料）、内（施釉）に赤釉（長石、珪石、天草陶石、石灰、赤色顔料）を使用して、漆が出す光沢、形状を表現した陶磁器に関するものである。
【背景技術】
【０００２】
食卓において使用される通常の木製漆器の碗は、電子レンジは使えない。食器洗浄機・乾燥機を使用すると早く傷む。また、新しいものは独特の臭いもあった。
【考案の開示】
【考案が解決しようとする課題】
【０００３】
本考案は前記のような従来の問題点を解決した陶磁器を安価に提供するためになされたものである。
【課題を解決するための手段】
【０００４】
上記のような課題を解決した本考案に係る陶磁器製碗は、陶磁器の外（施釉）と高台内（施釉）に黒釉（長石、石灰、天草陶石、タルク、黒色顔料）、内（施釉）に赤釉（長石、珪石、天草陶石、石灰、赤色顔料）を使用して、漆が出す光沢、形状を特徴とするもである。 
【実施例】
【０００５】
次に、本考案を図示の陶磁器製碗を実施例として詳細に説明する。
図１は碗の形状をした陶磁器製器物であって１と４は黒釉（長石、石灰、天草陶石、タルク、黒色顔料）、２に赤釉（長石、珪石、天草陶石、石灰、赤色顔料）を使用し、高台を介して一体に設けたものとする。 
【図面の簡単な説明】
【０００６】
【図１】本考案の実施例を示す一部切欠正面図である。
【符号の説明】
【０００７】
１外（施釉）
２内（施釉）
３高台内（施釉）
４高台巻
【図１】
0003120651.tif 000003
【手続補正書】
【提出日】平成18年2月6日(2006.2.6)
【手続補正１】
【補正対象書類名】実用新案登録請求の範囲
【補正対象項目名】全文
【補正方法】変更
【補正の内容】
【実用新案登録請求の範囲】
【請求項１】
陶磁器製碗の外側の施釉と高台内側の施釉に長石、石灰、天草陶石、タルク、黒色顔料、陶磁器製碗の内側の施釉に長石、珪石、天草陶石、石灰、赤色顔料を使用して、漆が出す光沢、形状を表現した陶磁器製碗。